(57)【要約】【課題】  爪水虫治療方法である抗真菌性の薬の内服には、以下の課題がある。副作用の懸念、長い治療期間、継続的に内服しなければならない不便性、体質があわない人がいる、併用できない薬がある、定期的に血液検査を受ける必要等である。【解決手段】  内服薬を使用しないで、爪水虫を爪の表面から直接除去する方法。選択図１のやすり部分を爪の表面に当て、軽く上下左右に摩擦させ、爪水虫罹患部分をパウダー状にしながら少しづつ削り取る。この方法を完治するまでくり返す。また、爪やすりを、爪水虫治療の治療器具として、爪表面を粉状にしながら削り取ることを目的に使用する。【発明の効果】  副作用がなく、治療時に痛みも無く、安全性が高い。治療方法が容易である。短期間で治療効果を確認できる。爪水虫治療器具は容易に入手でき、使い捨てができるので清潔である。治療の開始・停止時期を本人が選択できる。【選択図】    図１
2005066279.tif 000002
【特許請求の範囲】
【請求項１】
爪水虫の治療方法。現在の爪水虫の治療に対する技術は、抗真菌薬の内服であるが、この方法には、継続的に長期間内服しなければならない、併用できない薬がある、体質があわない人がいる等の課題がある。そこで、内服薬を使用せずに、爪水虫を爪の表面から直接除去するという新しい方法を考案する。その治療方法とは、白濁したり、厚くなった爪水虫の患部つまり、爪の表面にやすりを当て、軽く上下左右に摩擦させ、爪をパウダー状にしながら少しづつ削り取る方法である。これを爪水虫が完治するまでくり返す。
【請求項２】
爪水虫治療器具の考案。従来、爪やすりは、爪の形を整えたり、爪の表面を磨いて、なめらかにする美的効果のみを目的としている。この爪やすりを、爪水虫治療の爪水虫治療器具として、爪の表面を粉状にしながら削り取ることを目的に使用する。
【発明の詳細な説明】
【技術分野】
【０００１】  本発明は、爪水虫を治療する技術に関する
【背景技術】
【０００２】  爪白癬つまり、一般的に爪水虫と呼ばれる水虫になった場合，足の皮膚にも水虫を併発している事が多い。そこで、足の皮膚の水虫には有効な抗真菌性の塗り薬を使用して治療を試みても、爪水虫を治癒しない限り、爪の患部から白癬菌が供給され続け水虫を治癒できない。しかも、爪水虫の治療に抗真菌性の塗り薬を使用しても、爪の中に薬の成分が届きにくく治療ができない。尚、現在の爪水虫に対する技術は、抗真菌薬の飲み薬を爪水虫が完治するまで長期間内服する方法がとられている。
【発明の開示】
【発明が解決しようとする課題】
【０００３】  従来の抗真菌性の薬の内服では、以下の課題がある。内服薬使用による副作用の懸念。最低でも３〜６ヶ月という長い内服治療期間。継続的に長期間内服しなければならない不便性。併用できない薬がある。内服薬に体質があわない人がいる。定期的に血液検査を受ける必要がある。自己判断で内服薬の停止ができない。
【課題を解決するための手段】
【０００４】  内服薬を使用しないで白癬菌を爪の表面から直接除去する方法の考案。治療方法は、白濁したり、厚くなった爪水虫の患部つまり、爪の表面にやすりを当て、軽く上下左右に摩擦させ、爪をパウダー状にしながら少しづつ削り取る。この方法を爪水虫が完治するまでくり返す。また、従来、爪の形を整えたり、爪の表面を磨いて、なめらかにする美的効果のみを目的として使用されていた爪やすりを、爪水虫治療の治療器具として、爪を粉状にしながら削り取ることを目的に使用する。
【発明の効果】
【０００５】  副作用がなく、痛みも無く、安全性が高い。治療方法が容易である。短期間で治療効果を確認できる。爪水虫治療具として考案した、爪やすりは容易に入手でき使い捨てができ、清潔である。治療の開始・停止時期を本人が選択できる。
【発明を実施するための最良の形態】
【０００６】  治療準備として、爪の粉末を吸引しないように、マスクを使用する。また爪の粉末付着による感染を防ぐビニール手袋を使用する。次に、図１の爪水虫治療器具のやすり部分を爪の患部に当て、軽く上下左右に摩擦させ、爪を粉状にしながら少しづつ削り取る。この方法を完治するまでくり返す。治療後、患部及び手を殺菌、洗浄する。
【実施例】
【０００７】  爪水虫を罹患していた発明者本人の左足第１指、４指、５指の爪及び、右足４指、５指の爪の表面をパウダー状にして削り取り治療した。
【産業上の利用可能性】
【０００８】  爪水虫罹患者数が多く、需要が見込まれる。治療器具は低コストで大量生産が可能である。また、軽量で携帯可能で時間・場所を選ばず、利便性が高い。ヤスリ部分を使い捨てにすることができ、清潔である。
2005066279.tif 000003
【図１】
2005066279.tif 000004
【手続補正書】
【提出日】平成15年11月5日(2003.11.5)
【手続補正１】
【補正対象書類名】明細書
【補正対象項目名】全文
【補正方法】変更
【補正の内容】
【発明の詳細な説明】
【技術分野】
【０００１】  本発明は、爪水虫を治療する技術に関する
【背景技術】
【０００２】  爪白癬つまり、一般的に爪水虫と呼ばれる水虫になった場合，足の皮膚にも水虫を併発している事が多い。そこで、足の皮膚の水虫には有効な抗真菌性の塗り薬を使用して治療を試みても、爪水虫を治癒しない限り、爪の患部から白癬菌が供給され続け水虫を治癒できない。しかも、爪水虫の治療に抗真菌性の塗り薬を使用しても、爪の中に薬の成分が届きにくく治療ができない。尚、現在の爪水虫に対する技術は、抗真菌薬の飲み薬を爪水虫が完治するまで長期間内服する方法がとられている。
【発明の開示】
【発明が解決しようとする課題】
【０００３】  従来の抗真菌性の薬の内服では、以下の課題がある。内服薬使用による副作用の懸念。最低でも３〜６ヶ月という長い内服治療期間。継続的に長期間内服しなければならない不便性。併用できない薬がある。内服薬に体質があわない人がいる。定期的に血液検査を受ける必要がある。自己判断で内服薬の停止ができない。
【課題を解決するための手段】
【０００４】  内服薬を使用しないで白癬菌を爪の表面から直接除去する方法の考案。治療方法は、白濁したり、厚くなった爪水虫の患部つまり、爪の表面にやすりを当て、軽く上下左右に摩擦させ、爪をパウダー状にしながら少しづつ削り取る。この方法を爪水虫が完治するまでくり返す。また、従来、爪の形を整えたり、爪の表面を磨いて、なめらかにする美的効果のみを目的として使用されていた爪やすりを、爪水虫治療の治療器具として、爪を粉状にしながら削り取ることを目的に使用する。
【発明の効果】
【０００５】  副作用がなく、痛みも無く、安全性が高い。治療方法が容易である。短期間で治療効果を確認できる。爪水虫治療具として考案した、爪やすりは容易に入手でき使い捨てができ、清潔である。治療の開始・停止時期を本人が選択できる。
【発明を実施するための最良の形態】
【０００６】  治療準備として、爪の粉末を吸引しないように、マスクを使用する。また爪の粉末付着による感染を防ぐビニール手袋を使用する。次に、図１の爪水虫治療器具のやすり部分を爪の患部に当て、軽く上下左右に摩擦させ、爪を粉状にしながら少しづつ削り取る。この方法を完治するまでくり返す。治療後、患部及び手を殺菌、洗浄する。
【実施例】
【０００７】  爪水虫を罹患していた発明者本人の左足第１指、４指、５指の爪及び、右足４指、５指の爪の表面をパウダー状にして削り取り治療した。
【産業上の利用可能性】
【０００８】  爪水虫罹患者数が多く、需要が見込まれる。治療器具は低コストで大量生産が可能である。また、軽量で携帯可能で時間・場所を選ばず、利便性が高い。ヤスリ部分を使い捨てにすることができ、清潔である。
【図面の簡単な説明】
【０００９】
【図１】水虫治療器具の正面図である  裏面も同様である
【符号の説明】
【００１０】      １  爪をパウダー状にして削り取るためのやすりの部分。
２  やすりを支える柄の役目をしている
やすりの下一部分を挟んでいる